(57)【特許請求の範囲】
【請求項１】
Ｃ字状に形成され、上部に形成された支持軸（１ａ）により支持され、下部において景品を引っ掛け可能なフック本体（１）と、
内部に前記支持軸（１ａ）が設けられた空洞部（２ａ）を有し、前記フック本体（１）を前記支持軸（１ａ）により支持するフックブロック（２）と、
前記フックブロック（２）を吊り下げ保持するワイヤー（３、７）と、
該ワイヤー（３、７）が挿通されるケース（６）と、
該ケース（６）の下部に形成された第１係止部（６ａ）と、
該ケース（６）の上部に形成された第２係止部（６ｂ）と、
該第２係止部（６ｂ）と係合する固定部材（１５）と、
前記フックブロック（２）に形成され、前記第１係止部（６ａ）に当接したときに前記フックブロック（２）および前記フック本体（１）を回転させる突起部（２ｃ）とを具備し、
前記ワイヤー（３、７）を引き上げたときに、前記ワイヤー（３、７）に吊り下げられた前記フックブロック（２）が引き上げられ、前記第２係止部（６ｂ）と前記固定部材（１５）とが係合し、前記突起部（２ｃ）と前記第１係止部（６ａ）とが係合して前記フック本体（１）を回転させ、引っ掛けた景品を前記フック本体（１）から落下させることを特徴とする景品取得ゲーム機。
【請求項２】
Ｊ字状に形成され、上部に形成された支持軸（２１ａ）により支持され、下部において景品を引っ掛け可能なフック本体（２１）と、
内部に前記支持軸（２１ａ）が設けられた空洞部（２２ａ）を有し、前記フック本体（２１）を前記支持軸（２１ａ）により支持するフックブロック（２２）と、
前記フックブロック（２２）を吊り下げ保持するワイヤー（３、７）と、
該ワイヤー（３、７）が挿通されるケース（６）と、
該ケース（６）の下部に形成された第１係止部（６ａ）と、
前記フック本体（２１）と一体に形成され、前記第１係止部（６ａ）に当接したときに前記フック本体（２１）を回転させる湾曲部（２１ｂ）とを具備し、
前記ワイヤー（３、７）を引き上げたときに、前記ワイヤー（３、７）に吊り下げられた前記フックブロック（２２）が引き上げられ、前記湾曲部（２１ｂ）と前記第１係止部（６ａ）とが係合して前記フック本体（２１）を回転させ、引っ掛けた景品を前記フック本体（２１）から落下させることを特徴とする景品取得ゲーム機。
【請求項３】
Ｊ字状に形成され、上部に形成された支持軸（３１ａ）により支持され、下部において景品を引っ掛け可能なフック本体（３１）と、
内部に前記支持軸（３１ａ）が設けられた空洞部（２２ａ）を有し、前記フック本体（３１）を前記支持軸（３１ａ）により支持するフックブロック（２２）と、
前記フックブロック（２２）を吊り下げ保持するワイヤー（３、７）と、
該ワイヤー（３、７）が挿通されるケース（６）と、
該ケース（６）の上部に形成された第２係止部（６ｂ）と、
該第２係止部（６ｂ）と係合する固定部材（１５）と、
前記ケース（６）の下部に形成され、前記フック本体（３１）の上端部と係合する第３係止部（６ｃ）とを具備し、
前記ワイヤー（３、７）を引き上げたときに、前記ワイヤー（３、７）に吊り下げられた前記フックブロック（２２）が引き上げられ、前記第２係止部（６ｂ）と前記固定部材（１５）とが係合し、前記フック本体（３１）の上端部と前記第３係止部（６ｃ）とが係合して前記フック本体（３１）を回転させて、引っ掛けた景品を前記フック本体（３１）から落下させることを特徴とする景品取得ゲーム機。
【請求項４】
前記第２係止部（６ｂ）と前記固定部材（１５）とが係合したことを検出する位置検出手段（１４）を更に具備することを特徴とする請求項１、請求項２または請求項３に記載の景品取得ゲーム機。
【請求項５】
前記位置検出手段（１４）が前記第２係止部（６ｂ）と前記固定部材（１５）とが係合したことを検出した後において、
更に上方に引き上げられた前記ワイヤー（３、７）の位置を検出する第２位置検出手段（１１）を具備することを特徴とする請求項４に記載の景品取得ゲーム機。
【請求項６】
前記ワイヤー（３、７）が所定位置であることを前記第２位置検出手段（１１）が検出したときに、前記ワイヤー（３、７）の引き上げを停止することを特徴とする請求項５に記載の景品取得ゲーム機。
【発明の詳細な説明】
【０００１】
【発明の属する技術分野】
本発明は、クレーンゲーム機で代表される景品取得ゲーム機に関する。
【０００２】
【従来の技術】
従来のこの種の景品取得ゲーム機として、クレーンゲーム機が知られている。このクレーンゲーム機は、クレーンを模した機構により景品を掴んで景品落し口まで運び、景品を離して落下させることにより景品を取得するゲーム機である。
【０００３】
【発明が解決しようとする課題】
従来のクレーンゲーム機では、景品を掴んだり離したりする機構にモーターが用いられており、モーターを駆動制御するためのハーネスが必要であった。従って、景品を掴んだり離したりする機構がハーネスで繋がれているために、機構が複雑でハーネスが絡まってしまう等の故障が起こり易い構造となっていた。また、
部品代が高価になるという問題点があった。
【０００４】
本発明は、上記の問題点に鑑みてなされたもので、構造が簡単で故障が少なく、部品代が安価な景品取得ゲーム機の提供を目的とする。
【０００５】
【課題を解決するための手段】
この目的を達成するために、請求項１の発明による景品取得ゲーム機は、Ｃ字状に形成され、上部に形成された支持軸（１ａ）により支持され、下部において景品を引っ掛け可能なフック本体（１）と、
内部に支持軸（１ａ）が設けられた空洞部（２ａ）を有し、フック本体（１）を支持軸（１ａ）により支持するフックブロック（２）と、
フックブロック（２）を吊り下げ保持するワイヤー（３、７）と、
ワイヤー（３、７）が挿通されるケース（６）と、
ケース（６）の下部に形成された第１係止部（６ａ）と、
ケース（６）の上部に形成された第２係止部（６ｂ）と、
第２係止部（６ｂ）と係合する固定部材（１５）と、
フックブロック（２）に形成され、第１係止部（６ａ）に当接したときにフックブロック（２）およびフック本体（１）を回転させる突起部（２ｃ）とを具備し、
ワイヤー（３、７）を引き上げたときに、ワイヤー（３、７）に吊り下げられたフックブロック（２）が引き上げられ、第２係止部（６ｂ）と固定部材（１５）とが係合し、突起部（２ｃ）と第１係止部（６ａ）とが係合してフック本体（１）を回転させ、引っ掛けた景品をフック本体（１）から落下させることを特徴とする。
【０００６】
請求項２の発明による景品取得ゲーム機は、Ｊ字状に形成され、上部に形成された支持軸（２１ａ）により支持され、下部において景品を引っ掛け可能なフック本体（２１）と、
内部に支持軸（２１ａ）が設けられた空洞部（２２ａ）を有し、フック本体（２１）を支持軸（２１ａ）により支持するフックブロック（２２）と、
フックブロック（２２）を吊り下げ保持するワイヤー（３、７）と、
ワイヤー（３、７）が挿通されるケース（６）と、
ケース（６）の下部に形成された第１係止部（６ａ）と、
フック本体（２１）と一体に形成され、第１係止部（６ａ）に当接したときにフック本体（２１）を回転させる湾曲部（２１ｂ）とを具備し、
ワイヤー（３、７）を引き上げたときに、ワイヤー（３、７）に吊り下げられたフックブロック（２２）が引き上げられ、湾曲部（２１ｂ）と第１係止部（６ａ）とが係合してフック本体（２１）を回転させ、引っ掛けた景品をフック本体（２１）から落下させることを特徴とする。
【０００７】
請求項３の発明による景品取得ゲーム機は、Ｊ字状に形成され、上部に形成された支持軸（３１ａ）により支持され、下部において景品を引っ掛け可能なフック本体（３１）と、
内部に支持軸（３１ａ）が設けられた空洞部（２２ａ）を有し、フック本体（３１）を支持軸（３１ａ）により支持するフックブロック（２２）と、
フックブロック（２２）を吊り下げ保持するワイヤー（３、７）と、
ワイヤー（３、７）が挿通されるケース（６）と、
ケース（６）の上部に形成された第２係止部（６ｂ）と、
第２係止部（６ｂ）と係合する固定部材（１５）と、
ケース（６）の下部に形成され、フック本体（３１）の上端部と係合する第３係止部（６ｃ）とを具備し、
ワイヤー（３、７）を引き上げたときに、ワイヤー（３、７）に吊り下げられたフックブロック（２２）が引き上げられ、第２係止部（６ｂ）と固定部材（１５）とが係合し、フック本体（３１）の上端部と第３係止部（６ｃ）とが係合してフック本体（３１）を回転させて、引っ掛けた景品をフック本体（３１）から落下させることを特徴とする。
【０００８】
請求項４の発明による景品取得ゲーム機は、請求項１、請求項２または請求項３において、第２係止部（６ｂ）と固定部材（１５）とが係合したことを検出する位置検出手段（１４）を更に具備することを特徴とする。
【０００９】
請求項５の発明による景品取得ゲーム機は、請求項４において、位置検出手段（１４）が第２係止部（６ｂ）と固定部材（１５）とが係合したことを検出した後において、
更に上方に引き上げられたワイヤー（３、７）の位置を検出する第２位置検出手段（１１）を具備することを特徴とする。
【００１０】
請求項６の発明による景品取得ゲーム機は、請求項５において、ワイヤー（３、７）が所定位置であることを第２位置検出手段（１１）が検出したときに、ワイヤー（３、７）の引き上げを停止することを特徴とする。
【００１１】
【発明の実施の形態】
以下、本発明の実施の形態を図面に基づいて説明する。
【００１２】
図１〜図５は、本発明による景品取得ゲーム機の第１実施形態を示す部分断面図である。
【００１３】
図１において、フック本体１は円環状に形成され、上部に形成された支持軸１ａによりフックブロック２に支持されている。フックブロック２は空洞部２ａを有し、空洞部２ａ内に支持軸１ａが設けられている。即ち、フック本体１は一部が空洞部２ａに挿通され、支持軸１ａを介してフックブロック２により支持されている。なお、フックブロック２の当接部２ｂは、後述するように、フック本体１に当接してフック本体１の回転を促進させる目的で設けられている。また、フックブロック２の突起部２ｃは、後述するように、フックブロックストッパー６ａに当接してフックブロック２の傾斜、従ってフック本体１を回転させる目的で形成されている。
【００１４】
フックブロック２は、ワイヤー３の下端部に設けられたボールジョイント３ａにより回転自在に枢支されている。ワイヤー３の上端部に設けられたボールジョイント３ｂは、スライドプレート４により水平方向に回転自在に枢支されている。更にスライドプレート４は、ワイヤー７の下端部に設けられたボールジョイント７ａにより回転自在に枢支されている。
【００１５】
スライドプレート４は、ケース６内に設けられているレール５に沿って、スプリング８により下方向（図１）に付勢されながら、上下方向（図１）に摺動する。ケース６の上部には、マイクロスイッチ１４と当接するスイッチブロック６ｂが形成されている。以上で説明した、フック本体１、フックブロック２、スライドプレート４およびケース６は、全体がワイヤー７により吊り下げられた状態になっている。
【００１６】
ワイヤー７は、巻き上げ用モーター９によって駆動されるワイヤー巻取りボビン１０によって巻き上げられる。巻き上げにより、スイッチブロック６ｂはマイクロスイッチ１４と当接する（図３参照）。マイクロスイッチ１４はスライドブロック１５に支持されており、スライドブロック１５はスプリング１３により下方向（図１）に付勢されながら、ケース１６内を上下方向（図１）に摺動する。なお、スプリング１３の付勢力は、スプリング８の付勢力よりも大となるように設定されている。
【００１７】
スイッチブロック６ｂがマイクロスイッチ１４と当接した後に、更にワイヤー７がワイヤー巻取りボビン１０によって巻き上げられると、フックブロック２の突起部２ｃがフックブロックストッパー６ａに当接して、フックブロック２を傾斜させ、従ってフック本体１を回転させる。これにより景品がフック本体１から外れて落下する（図４参照）。更に、ワイヤー７がワイヤー巻取りボビン１０によって巻き上げられると、スライドスプリング１３が収縮してスライドブロック１５がシャッター１２を持ち上げ、そのことがセンサー１１によって検出される（図５参照）。このセンサー１１の検出によって巻き上げ用モーター９の回転が停止する。
【００１８】
次に、上述した構成の景品取得ゲーム機の動作について図６も併用して説明する。図６は、景品取得ゲーム機の全体を示す正面図および側面図である。
【００１９】
フック本体１およびケース６（図６ではフックメカユニット部）は、箱型筐体２０の内部に吊り下げられる。箱型筐体２０の下部には景品（図示せず）が載置されており、コントロール部２１をゲームプレイヤーが操作して、景品（または景品に付けた紐）をフック本体１に引っ掛ける（図２参照）。その後、コントロール部２１をゲームプレイヤーが操作して、フックメカユニット部（フック本体１およびケース６）を上昇させると、スイッチブロック６ｂがマイクロスイッチ１４に当接する。この時点で巻き上げ用モーター９の回転が一旦停止し、フックメカユニット部はその位置で保持される。
【００２０】
その後、フックメカユニット部は景品落とし口２３の上部まで水平移動される。そこで更に巻き上げ用モーター９を回転させて、ワイヤー巻取りボビン１０にワイヤー７を巻き上げると、フックブロック２の突起部２ｃがフックブロックストッパー６ａに当接してフックブロック２が傾斜し、従ってフック本体１が回転する。これにより景品がフック本体１から外れて景品落とし口２３（図６）に落下する。更に、ワイヤー７がワイヤー巻取りボビン１０によって巻き上げられると、スライドスプリング１３が収縮してスライドブロック１５がシャッター１２を持ち上げ、そのことがセンサー１１によって検出される（図５参照）。このセンサー１１の検出によって巻き上げ用モーター９の回転が停止する。
【００２１】
以上で説明した第１実施形態によれば、フック本体１の吊り下げと、フック本体１から景品を外す回転動作が、１本のワイヤー３によって実現されるので、ハーネス類が不要となり、構造が簡単で故障が少なく、部品代が安価な景品取得ゲーム機を提供することが可能となる。
【００２２】
図７〜図８は、本発明による景品取得ゲーム機の第２実施形態を示す部分断面図である。図中、図１〜図６と同じ構成部分には同じ参照番号を付して重複した説明を省略する。
【００２３】
第２実施形態は、第１実施形態における突起部２ｃに相当する部材をフック本体２１に設けた例である。即ち、フック本体２１の上部には係合部２１ｂがフック本体２１と一体に形成されている。フックブロック２２は空洞部２２ａを有し、空洞部２２ａ内に支持軸２１ａが設けられている。即ち、フック本体２１は一部が空洞部２２ａに挿通され、支持軸２１ａを介してフックブロック２２により支持されている。
【００２４】
係合部２１ｂは、ワイヤー３が引き上げられたときにフックブロックストッパー６ａと係合し、フック本体２１を支持軸２１ａを中心にして回転させる（図８参照）。これにより、フック本体２１の吊り下げと、フック本体２１から景品を外す回転動作が、１本のワイヤー３によって実現されるので、ハーネス類が不要となり、構造が簡単で故障が少なく、部品代が安価な景品取得ゲーム機を提供することが可能となる。
【００２５】
なお、図７に示すフックブロックストッパー６ａは、図１〜図５に示すフックブロックストッパー６ａよりも広幅に形成されている。また、フック本体２１は支持軸２１ａを中心にして回転させるものとして説明したが、第１実施形態と同様に、フック本体２１とフックブロック２２の全体が回転することで景品を外すようにしても良い。
【００２６】
図９〜図１０は、本発明による景品取得ゲーム機の第３実施形態を示す部分断面図である。図中、図１〜図８と同じ構成部分には同じ参照番号を付して重複した説明を省略する。
【００２７】
第３実施形態は、第１実施形態における突起部２ｃに相当する部材をフックブロックストッパー６ｃに設けた例である。
【００２８】
フックブロック２２は空洞部２２ａを有し、空洞部２２ａ内に支持軸３１ａが設けられている。フック本体３１は一部が空洞部２２ａに挿通され、支持軸３１ａを介してフックブロック２２により支持されている。
【００２９】
フックブロックストッパー６ｃは円筒状に形成されている。従って、ワイヤー３が引き上げられたときに、フックブロックストッパー６ｃは下端部においてフック本体３１と係合し、フック本体３１を支持軸３１ａを中心にして回転させる（図９から図１０への変化を参照）。これにより、フック本体３１の吊り下げと、フック本体３１から景品を外す回転動作が、１本のワイヤー３によって実現されるので、ハーネス類が不要となり、構造が簡単で故障が少なく、部品代が安価な景品取得ゲーム機を提供することが可能となる。
【００３０】
なお、図９および図１０に示すフックブロックストッパー６ａは、図１〜図５に示すフックブロックストッパー６ａよりも広幅に形成されている。また、フック本体３１は支持軸３１ａを中心にして回転させるものとして説明したが、第１実施形態と同様に、フック本体３１とフックブロック２２の全体が回転することで景品を外すようにしても良い。
【００３１】
なお、第１〜第３実施形態では、フック本体１、フック本体２１およびフック本体３１を円環状であるものとして説明したが、景品（または景品に付けた紐）をフック本体１、フック本体２１またはフック本体３１に引っ掛けることのできる形状であれば楕円形や矩形であっても良い。
【００３２】
また、ボールジョイント３ａは、ボールジョイント以外の自在継手であって良く、また水平方向の自在回転を必要としない場合は、省略してワイヤー３をフックブロック２またはフックブロック２２に固定することもできる。固定した場合であっても、ワイヤー３の縒れる範囲であれば水平方向の自在回転を確保できる。
【００３３】
【発明の効果】
以上のように、本発明の景品取得ゲーム機によれば、フック本体（１、２１、３１）の引き上げ動作と、フック本体（１、２１、３１）から景品を外す回転動作が、ワイヤー（３、７）の引き上げ動作のみに依り実現される。従って、回転駆動源が不要となることで、回転駆動源と接続されるハーネス類も不要となり、フック本体の動きにハーネス類の影響が出ず、ゲームの面白さを向上させることが可能となる。また、回転駆動源が不要となることで構造が簡単になり、故障が少なく部品代が安価な景品取得ゲーム機を提供することが可能となる。
【図面の簡単な説明】
【図１】本発明による景品取得ゲーム機の第１実施形態を示す部分断面図である。
【図２】本発明による景品取得ゲーム機の第１実施形態を示す部分断面図である。
【図３】本発明による景品取得ゲーム機の第１実施形態を示す部分断面図である。
【図４】本発明による景品取得ゲーム機の第１実施形態を示す部分断面図である。
【図５】本発明による景品取得ゲーム機の第１実施形態を示す部分断面図である。
【図６】本発明による景品取得ゲーム機の一実施形態を示す正面図および側面図である。
【図７】本発明による景品取得ゲーム機の一実施形態を示す部分断面図である。
【図８】本発明による景品取得ゲーム機の一実施形態を示す部分断面図である。
【図９】本発明による景品取得ゲーム機の一実施形態を示す部分断面図である。
【図１０】本発明による景品取得ゲーム機の一実施形態を示す部分断面図である。
【符号の説明】
１    フック本体
１ａ  支持軸
２    フックブロック
２ａ  空洞部
２ｂ  当接部
２ｃ  突起部
３    ワイヤー
３ａ  ボールジョイント
３ｂ  ボールジョイント
４    スライドプレート
５    レール
６    ケース
６ａ  フックブロックストッパー
６ｂ  スイッチブロック
６ｃ  フックブロックストッパー
７    ワイヤー
７ａ  ボールジョイント
８    スプリング
９    巻き上げ用モーター
１０    ワイヤー巻取りボビン
１１    センサー
１２    シャッター
１３    スライドスプリング
１４    マイクロスイッチ
１５    スライドブロック
１６    ケース
２０    箱型筐体
２１    コントロール部
２１    フック本体
２１ａ  支持軸
２１ｂ  係合部
２２    フックブロック
２２ａ  空洞部
２３    景品落とし口
３１    フック本体
３１ａ  支持軸
【図１】
0003921104.tif 000002
【図２】
0003921104.tif 000003
【図３】
0003921104.tif 000004
【図４】
0003921104.tif 000005
【図５】
0003921104.tif 000006
【図６】
0003921104.tif 000007
【図７】
0003921104.tif 000008
【図８】
0003921104.tif 000009
【図９】
0003921104.tif 000010
【図１０】
0003921104.tif 000011